(57)【要約】【課題】大当り動作の前後の所定時間中における遊技球の発射を促して、パチンコホールの売り上げの向上を図ることができるパチンコ遊技機を提供する。【解決手段】始動入賞口１３に遊技球が入賞すると、複数の図柄を変動表示する図柄変動表示装置１０を備えている。主制御部２０のＣＰＵ２１は、抽選用の乱数を取得して大当りの抽選を行うとともに、抽選により大当りが発生し、図柄変動表示装置１０の図柄が予め決められた図柄に揃って停止したとき、大当り状態として、大入賞口１１の開閉扉１１ａを開放制御する。また、大当りが確定した後、大当り動作が開始されるまでの所定時間、及び／又は大当り動作が終了した後、通常遊技が開始されるまでの所定時間に、始動入賞口１３の高頻度開動作が実行される。【選択図】図３
2005152228.tif 000002
【特許請求の範囲】
【請求項１】
始動入賞口に遊技球が入賞すると、複数の図柄を変動表示する図柄変動表示装置と、抽選用の乱数を取得して大当りの抽選を行なう大当り抽選手段と、該大当り抽選手段の抽選により大当りが発生し、該図柄変動表示装置の図柄が予め決められた図柄に揃って停止したとき、大当り状態として、大入賞口の開放動作を行う大当り処理手段と、入賞口に電動式開閉部材を設けた可変入賞装置とを備えたパチンコ遊技機において、
大当りが確定した後、大当り動作が開始されるまでの所定時間、及び／又は大当り動作が終了した後、通常遊技が開始されるまでの所定時間に、該可変入賞装置の電動式開閉部材を開制御する制御手段が設けられたことを特徴とするパチンコ遊技機。
【請求項２】
前記制御手段は、大当り確定時に発生する大当り信号に基づき、所定時間を指定して電動式開閉部材の開制御を行うことを特徴とする請求項１記載のパチンコ遊技機。
【請求項３】
前記可変入賞装置は、図柄変動表示開始用の始動入賞口である請求項１記載のパチンコ遊技機。                                                                        
【発明の詳細な説明】
【技術分野】
【０００１】
本発明は、始動入賞口に球が入賞すると、複数の図柄が変動表示され、大当り抽選に基づき、図柄が予め決められた配列に揃って停止した時、遊技者にとって有利な大当り状態を発生させるパチンコ遊技機に関し、特に大当りの確定時から大当り動作の開始時までの間、或いは大当り動作の終了時から通常遊技の開始時までの間に生じやすい、遊技者の発射球の止め打ちを防止することができるパチンコ遊技機に関する。
【背景技術】
【０００２】
従来、特定の始動入賞口に球が入ると、図柄変動表示装置の３列の図柄が上から下に流れるように変動表示され、その後、それらの図柄が停止して、例えば「６６６」「７７７」のように、予め決められた図柄が揃ったとき、特別遊技状態つまり大当りとなって、可変入賞装置の電動開閉大入賞口が開閉動作して、多くの球を入賞させることができるパチンコ遊技機が知られている。
【０００３】
この種のパチンコ遊技機は、特別遊技状態となる図柄の組み合わせが例えば「７７７」のように予め決められた特定図柄に揃って停止し、大当りが確定したときには、その後、所定時間経過後に、大入賞口が開放されて、大当り動作が実行され、それが終了すると、大入賞口が閉じて、再び所定時間経過後に、次の保留球による図柄変動が開始されるという動作を実行する。
【０００４】
このため、遊技者は、大当りが確定した後の所定時間、或いは大当り動作が終了した後の所定時間中には、打球を発射しても、打球の入賞が得られにくいと考えて、この時間帯には打球の発射を中止する傾向にあり、これによって、パチンコホールの売り上げが減少する問題があった。
【０００５】
ところで、従来のパチンコ遊技機においては、例えばリーチ演出の発生時に、遊技球を貯留部に貯留し、リーチ演出の終了時にその貯留部に貯留してある遊技球を始動入賞口に入れるようにして、リーチ演出中に遊技者がリーチ演出に見入って打球の発射を中止することを防止するようにしたパチンコ遊技機が、下記特許文献１などで提案されている。
【特許文献１】特開２００２−３３６４９０公報
【発明の開示】
【発明が解決しようとする課題】
【０００６】
しかし、この従来のパチンコ遊技機によっても、上記大当り動作の前後の所定時間中における遊技球の発射の止め打ちを防止することができず、パチンコホールの売り上げに少なからず影響を与えるという課題があった。
【０００７】
本発明は、上記の点に鑑みてなされたもので、大当り動作の前後の所定時間中における遊技球の発射を促して、パチンコホールの売り上げの向上を図ることができるパチンコ遊技機を提供することを目的とする。
【課題を解決するための手段】
【０００８】
上記目的を達成するために、本発明の請求項１のパチンコ遊技機は、始動入賞口に遊技球が入賞すると、複数の図柄を変動表示する図柄変動表示装置と、抽選用の乱数を取得して大当りの抽選を行なう大当り抽選手段と、該大当り抽選手段の抽選により大当りが発生し、該図柄変動表示装置の図柄が予め決められた図柄に揃って停止したとき、大当り状態として、大入賞口の開放動作を行う大当り処理手段と、入賞口に電動式開閉部材を設けた可変入賞装置とを備えたパチンコ遊技機において、大当りが確定した後、大当り動作が開始されるまでの所定時間、及び／又は大当り動作が終了した後、通常遊技が開始されるまでの所定時間に、可変入賞装置の電動式開閉部材を開制御する制御手段が設けられたことを特徴とする。
【０００９】
ここで、請求項２のように、上記制御手段は、大当り時に発生する大当り信号に基づき、所定時間を指定して電動式開閉部材の開制御を行うように構成することができる。
【００１０】
また、請求項３のように、上記可変入賞装置は、図柄変動表示開始用の始動入賞口とすることができる。
【発明の効果】
【００１１】
上記構成のパチンコ遊技機は、遊技中に、始動入賞口に球が入賞すると、抽選用の乱数を取得して大当り抽選を行なうと共に、図柄変動表示装置において複数の図柄が変動表示される。抽選により大当りが決定し、その表示装置に所定の図柄が揃って停止して大当りが確定すると、その確定時点から実際に大入賞口が開くまでの間、制御手段は、可変入賞装置の電動式開閉部材を開制御して（例えば高頻度開動作させて）、遊技球が可変入賞装置の入賞口に入賞しやすくする。また、制御手段は、大当り動作の終了時、大入賞口が閉成された時点から、通常遊技が開始されるまでの時間（例えば、保留球がある場合、その保留球に基づき次の図柄変動が開始されるまでの時間）、可変入賞装置の電動式開閉部材を開制御して（例えば高頻度開動作させて）、遊技球が可変入賞装置の入賞口に入賞しやすくする。
【００１２】
このため、遊技者は、大当りが確定した後、大当り動作が開始されるまでの所定時間、或いは大当り動作が終了した後、通常遊技が開始されるまでの所定時間であっても、入賞しやすいと考えて、従来のように遊技球の発射を中止せず、遊技球の発射操作を継続して行うこととなる。したがって、遊技者の止め打ちを防止してパチンコ遊技機の稼働率を上げて、パチンコホールの売り上げ向上を図ることができる。
【発明を実施するための最良の形態】
【００１３】
以下、本発明の実施の形態を図面に基づいて説明する。図１はパチンコ遊技機の正面図を示し、図２はその制御系の構成ブロック図を示している。図において、１はパチンコ機の木枠で、木枠１の前には前面枠２が蝶番を介して開閉可能に装着され、前面枠２の前面にはガラス扉５を開閉可能に設けた金枠が取り付けられ、前面枠２の内側に遊技盤３が着脱可能に取り付けられる。
【００１４】
遊技盤３の背面側に合成樹脂製の機構板がヒンジを介して回動可能に装着される。前面枠２の縁部には装飾用にサイドランプ５６が設けられ、また、ガラス扉５の縁部にガラス枠ランプ５７が設けれ、さらに、遊技盤３の中央部には装飾用に盤面ランプ５８が配設され、それらの装飾ランプは後述のランプ制御部５０に接続される。スピーカ４５が遊技盤３の縁部の内側に配設される。スピーカ４５は後述の音声制御部４０に接続され、各種の演出プログラムに応じた音声や音楽を発生する。
【００１５】
ガラス扉５の下側に、前板７が図示しない発射レールや打球杆を覆うように開閉可能に装着され、前板７の前面に打球供給皿６が設けられる。更に、前面枠２の下部に、打球発射装置の一部を構成する打球発射ハンドル９が設けられると共に、打球供給皿６で貯留できなくなった賞球を貯留する下皿８が設けられる。
【００１６】
遊技盤３の前面には、その中央に、例えば３列に配置された複数の図柄を順に上から下に循環移動させて変動表示する図柄変動表示装置１０が配設される。図柄変動表示装置１０は、カラー液晶表示器等の表示器１０ａに３列に配置した複数の数字や絵を、上から下に流して表示すると共に、場合によりその下にキャラクタ等の動画を表示する。さらに、表示器１０ａの上方には、保留球表示器１５が複数のランプ等を配置して設けられ、保留球表示器１５は、図柄の変動時に、さらに始動入賞口１３に入賞した球の数（保留個数）を記憶・表示する。
【００１７】
保留球表示器１５の上方に、普通図柄表示器１６が設けられる。この普通図柄表示器１６は、例えば１桁の４、５、６、７の数値を高速で順に循環・表示するように構成され、盤面上に設けた通過ゲート４を球が通過し、ゲート検出器４ａがそれを検出した時、普通図柄表示器１６には４〜７の数値が高速で順に循環・表示される。普通図柄表示器１６の数字の変動表示は、数秒後に停止するが、その停止図柄（数字）が所定の例えば「７」であった場合、後述の始動入賞口１３の羽根１３ｃを所定の秒数だけ開放する。
【００１８】
始動入賞口１３は、図柄変動表示装置１０の中央位置の下方に設けられ、さらにその両側に通常入賞口１２が配設され、始動入賞口１３の下側に、大入賞口１１が設けられる。始動入賞口１３は上述の可変入賞装置を構成するもので、電動式開閉部材として開閉可能な羽根１３ｃを有し、始動入賞口ソレノイド１３ｂにより羽根１３ｃは開閉駆動され、そこに入賞した球はその内側に配設された始動入賞口検出器１４により検出される。この電動式の羽根１３ｃを備えた始動入賞口１３は、大当たり動作の開始時の所定時間と終了時の所定時間にも、開制御が行われる。始動入賞口１３の下側には、大入賞口１１が配設され、大入賞口１１には、開閉動作する開閉部材１１ａが、大入賞口ソレノイド１１ｃにより開閉可能に設けられる。
【００１９】
大入賞口１１内にはＶゾーンと呼ばれる継続入賞口が設けられ、継続入賞口に入賞した球を検出するための継続入賞口検出器１９がその内側に設けられ、さらに、大入賞口１１に入賞した球を検出する大入賞口検出器１８が設けられる。入賞口に入賞した入賞口の数をカウントするカウンタが例えばＲＡＭの特定メモリ領域等に設けられ、カウント値が例えば９個になると、大入賞口１１の開閉部材１１ａは大入賞口ソレノイド１１ｃにより閉じられる。開閉部材１１ａの１回の開放が１ラウンドとされ、所定時間内に継続入賞口に入賞するとラウンドが更新され、最大で１６ラウンド、つまり１６回、開閉部材１１ａが開放される。
【００２０】
図２に示すように、パチンコ遊技機の制御系は、パチンコゲームの基本的な動作を制御し始動条件成立時には図柄変動コマンドを出力する主制御部２０と、主制御部２０からの図柄変動コマンドを入力し図柄の変動表示制御を行う図柄制御部３０と、主制御部２０からコマンドデータを入力し音声の発生を制御する音声制御部４０と、主制御部２０からのコマンドデータを入力し装飾ランプの点灯を制御するランプ制御部５０とから構成される。
【００２１】
主制御部２０は、基本的にはＣＰＵを主要部としたＣＰＵユニットから構成され、予め記憶されたプログラムに基づき各種の処理を実施するＣＰＵ２１、そのプログラムデータを記憶する読み出し専用のＲＯＭ２２、ＣＰＵ２１のワークエリアとして動作し、データ等を一時的に記憶し、入賞球数をカウントする領域、ラウンド数をカウントする領域を設けた読み書き可能なＲＡＭ２３、及び入出力回路２４を有して構成される。
【００２２】
入出力回路２４には、上記の始動入賞口検出器１４、大入賞口検出器１８、継続入賞口検出器１９、普通入賞口検出器１２ａ，１２ｂ、ゲート検出器４ａが入力系に接続され、大入賞口ソレノイド１１ｃと始動入賞口ソレノイド１３ｂがその出力系に接続される。
【００２３】
主制御部２０のＣＰＵ２１は、チューリップや大入賞口１１の開閉部材１１ａ開閉などの制御を行うと共に、遊技中に、始動入賞口１３に遊技球が入賞するなどして始動条件が成立すると、乱数発生器から例えば大当り抽選用の乱数を取得して、大当り抽選を行ない、さらにその乱数が大当りの場合、通常図柄の大当りか或いは特定図柄の大当りかを決定し、外れ乱数の場合、リーチ、リーチ予告などの決定を行うと共に、はずれの停止図柄を決定する。
【００２４】
また、主制御部２０のＣＰＵ２１は、大当り乱数を取得し、所定図柄に揃って変動図柄が停止して、大当りが確定したとき、図３に示すようなタイミングで、大当り信号を発生させる。さらに、ＣＰＵ２１は、その大当り信号の立ち上がりに同期して始動入賞口１３の羽根１３ｃの高頻度開動作を開始させ、それを大入賞口１１の開放動作まで継続するように制御する。また、ＣＰＵ２１は、大当り信号の立下り時に同期して、大入賞口１１を閉成すると共に、再び始動入賞口１３の羽根１３ｃの高頻度開動作を開始させ、それを所定時間例えば次の図柄変動表示の開始時まで継続するように制御する。
【００２５】
さらに、ＣＰＵ２１は、それらの抽選結果に基づき、図柄変動コマンドを、図柄制御部３０、音声制御部４０、及びランプ制御部５０に出力する。これらの図柄変動コマンドを入力した図柄制御部３０、音声制御部４０、及びランプ制御部５０は、予め記憶された演出プログラムを選択・決定して実行するように構成される。
【００２６】
また、主制御部２０のＣＰＵ２１は、抽選結果が大当りであったとき、その大当りが通常図柄（例えば「２２２」など３列の図柄が揃った図柄で、特定図柄以外の大当り図柄）か、或いは遊技者に有利な特定図柄（例えば「７７７」）の大当りであるかを示す変動コマンドを、図柄制御部３０などに出力する。
【００２７】
さらに、図柄変動表示装置１０の図柄変動を制御する図柄制御部３０は、主制御部２０と同様に、ＣＰＵユニットを主要部として構成され、ＣＰＵ３１は、ＲＯＭ３２に予め記憶されたプログラムに基づき、パチンコゲームの進行に応じて、図柄変動表示装置１０の表示器１０ａに変動画像を表示する。始動入賞口１３に入賞した際などの始動条件の成立時には、主制御部２０から送られた図柄変動コマンドに基づき演出プログラムを決定し、その演出プログラムに対応した図柄変動プログラムを実行するためのデータをＲＯＭ３２から読み出し、図柄変動表示装置１０の表示器１０ａにそれを表示するように制御を行う。
【００２８】
さらに、音声制御部４０は、上記主制御部２０と同様に、ＣＰＵユニットを主要部として構成され、ＣＰＵ４１は、ＲＯＭ４２に予め記憶されたプログラムに基づき、パチンコゲームの進行に応じて、スピーカ４５から各種の音声を発生させる。始動入賞口１３に入賞した際などの始動条件の成立時には、主制御部２０から送られた図柄変動コマンドに基づき、演出プログラムを決定し、その演出プログラムに対応した音声を発生するためのデータをＲＯＭ４２から読み出し、スピーカ４５から音声を発生させる。
【００２９】
さらに、ランプ制御部５０は、上記主制御部２０と同様に、ＣＰＵユニットを主要部として構成され、ＣＰＵ５１は、ＲＯＭ５２に予め記憶されたプログラムに基づき、パチンコゲームの進行に応じて、遊技機前面のサイドランプ等の装飾ランプ５６〜５８を点灯或は点滅させる。始動入賞口１３に入賞した際などの始動条件の成立時には、主制御部２０から送られた図柄変動コマンドに基づき、演出プログラムを決定し、その演出プログラムに対応したデータをＲＯＭ５２から読み出し、そのデータに基づきサイドランプ等の装飾ランプ５６〜５８を点灯或は点滅させる。
【００３０】
次に、上記構成のパチンコ遊技機の動作を図４のフローチャートを参照して説明する。パチンコゲームの遊技中に、遊技球が始動入賞口１３に入賞すると、始動入賞検出器１４がこれを検出し、始動入賞信号をＣＰＵ２１に送る。このとき、ＣＰＵ２１は、ステップ１００にて、始動入賞と判定して、次にステップ１１０に進み、ここで、大当り抽選用の乱数を取得し、取得した乱数に基づき乱数割付テーブルなどを参照して大当り抽選を行い、大当り、リーチ、スーパーリーチなどの入賞役または外れを決定する。
【００３１】
そして、ステップ１２０で、図柄変動表示装置１０の図柄変動表示が開始され、その画面表示が制御されて、３列の図柄が上から下に流れるように変動表示させる。図柄変動開始時から所定時間経過したとき、主制御部２０のＣＰＵ２１は、ステップ１３０に進み、図柄変動停止用のコマンドを図柄制御部３０、音声制御部４０、及びランプ制御部５０に出力し、図柄変動を停止させる。
【００３２】
次に、ＣＰＵ２１は、ステップ１４０で、停止した図柄が特定図柄での大当りであるか否かを判定し、例えば図柄が特定図柄の「７７７」に揃って停止し、最終的に大当りと判定した場合、次にステップ１５０に進み、大当り処理を実行させるために、大当り信号を発生させる。一方、大当りではないと判定した場合、ステップ１４０から上記ステップ１００に戻り、再び始動入賞を待つことになる。
【００３３】
大当り信号が発生すると、ＣＰＵ２１は、図３のタイミングチャートに示すように、その大当り信号の立ち上がりに同期して、始動入賞口１３の高頻度開動作制御を開始し、始動入賞口ソレノイド１３ｂの駆動により、羽根１３ｃが例えば３秒づつ１秒おきに入賞口を開放するように動作する（ステップ１６０）。そして、次のステップ１７０で、始動入賞口１３の高頻度開動作の開始から所定時間（例えば１２秒間）が経過したか否かを判定し、所定時間が経過した時、次にステップ１８０に進み、大当り処理として大入賞口１１の開閉扉１１ａを開放すると同時に、始動入賞口の高頻度開動作を終了する。
【００３４】
このように、大当りが決定された時点から実際に大入賞口１１が開いて大当り動作が開始されるまでの所定時間帯（ここでは１２秒間）に、始動入賞口１３の羽根が高頻度開動作を行うため、遊技者はこの間にも打球を発射することが有利と考えて、遊技球の発射を継続するため、この間の止め打ちを防止することができる。
【００３５】
大当り処理として、大入賞口ソレノイド１１ｃの動作により、大入賞口１１の開閉扉１１ａが開放されて、多くの遊技球が入賞可能な状態となると、ＣＰＵ２１は、大入賞口１１に遊技球が入賞したか否かを判定し、遊技球が大入賞口に入賞して大入賞口検出器１８によりそれが検出された場合、賞球の払出機構を動作させて、１５個の賞球を払い出す。そして、大当り時の大入賞口への入賞球をカウントする入賞球カウンタに１を加算する。さらに、ＣＰＵ２１は、大入賞口１１内の継続入賞口に遊技球が入賞したか否かを判定し、継続入賞口検出器１９が遊技球の入賞を検出したとき、継続フラグをオンする。
【００３６】
そして、継続入賞口に入賞している状態では継続フラグをオン状態として、大入賞口１１の開閉扉１１ａを開放状態とし、入賞球カウンタが１０をカウントするまでは、大入賞口１１の開閉扉１１ａの開放を継続する。そして、大入賞口１１が開放されてから所定時間が経過したか否か、或いは大入賞口１１の入賞球カウンタの値が１０になったか否かを判定し、所定時間が経過していない場合、或いは入賞球カウンタの値が１０未満の場合、大入賞口１１の開放を継続して実行する。
【００３７】
一方、所定時間が経過した場合或いは入賞球カウンタの値が１０になった場合、ＣＰＵ２１は、大入賞口ソレノイド１１ｃを動作させて大入賞口の開閉扉１１ａを閉じる。このように、大当りが発生して大入賞口１１が開放された状態で、所定時間が経過したとき或いは大入賞口の入賞球カウンタの値が１０になった場合、１ラウンドが終了したとして一旦大入賞口を閉じる。
【００３８】
そして、大当り中のラウンド数をカウントするラウンド数カウンタの値が１５未満か否かを判定し、そのラウンド数が１５未満の場合、継続フラグがオンか否かを判定し、継続入賞口に球が入賞して継続フラグがオン状態の場合、次に、大入賞口１１の開閉扉を再び開放して、以後、ラウンド数が１５になるまで、上記の処理を繰り返し実行する（ステップ１９０）。
【００３９】
上記のように、大当りラウンドを実行する間、ラウンド数カウンタの値が１５に達した場合、或いは継続入賞口に球が入賞せず継続フラグがオフした場合、ＣＰＵ２１は、ステップ２００にて、ラウンド終了と判断し、ステップ２１０で大当り信号をオフして、大当り処理を終了し、同時に大入賞口１１の開閉扉１１ａを閉鎖する（ステップ２２０）。
【００４０】
そして、このとき、図３のタイミングチャートに示すように、大当り信号の立ち下がりに同期して、再び始動入賞口１３の高頻度開動作制御を開始し、始動入賞口ソレノイド１３ｂの駆動により、羽根１３ｃが例えば３秒づつ１秒おきに入賞口を開放するように動作する（ステップ２３０）。そして、次のステップ２４０で、始動入賞口１３の高頻度開動作の開始から所定時間（例えば１４．５秒間）が経過したか否かを判定し、所定時間が経過した時、次にステップ２５０に進み、始動入賞口の高頻度開動作を終了する。そして、同時にステップ２６０で保留記憶に保留球があるか否かを判定し、保留球が１個以上記憶されている場合、その保留球の消化によって、ステップ２７０で図柄変動表示装置１０の図柄変動を開始すると共に、大当り抽選を行う。
【００４１】
このように、大当り処理が終了して大入賞口１１が閉じた時点から、図柄変動表示が開始されるまでの所定時間帯（保留球がある場合、例えば１４．５秒間）に、始動入賞口１３の羽根が高頻度開動作を行うため、遊技者はこの間にも打球を発射することが有利と考えて、遊技球の発射を継続するようになって、この間の止め打ちを防止することができる。
【００４２】
なお、上記実施形態では、可変入賞装置として始動入賞口１３を使用したが、始動入賞口のほかに電動式の開閉部材を備えた他の入賞口を使用することもできる。また、上記実施形態では、大当りが決定し大入賞口が開放されるまでなどの所定時間帯に、始動入賞口１３の羽根を３秒づつ１秒おきに開放したが、その際の開時間と閉時間の割合は、賞球の払出数に応じて任意に設定することができ、賞球払出数を遊技者の有利なように増加させ、或いは現状維持とすることもできる。
【００４３】
以上説明したように、本発明のパチンコ遊技機によれば、大当りが確定した（例えば大当り信号が発生した）時点から、大入賞口が開放されるまでの所定時間、或いは大当り動作が終了して大入賞口が閉じた後、通常遊技（例えば図柄変動表示）が開始されるまでの所定時間に、始動入賞口などの可変入賞装置の開閉部材を開制御（例えば高頻度開動作）するため、遊技者はこの間にも打球を発射することが有利と考えて、遊技球の発射を継続することとなる。このため、この間の遊技者の止め打ちを防止することができ、パチンコ遊技機の稼働率を上げて、パチンコホールの売り上げ向上を図ることができる。
【図面の簡単な説明】
【００４４】
【図１】本発明の一実施形態を示すパチンコ遊技機の正面図である。
【図２】パチンコ遊技機の制御系のブロック図である。
【図３】所定時間帯における始動入賞口の高頻度開動作を示すタイミングチャートである。
【図４】パチンコ遊技機の動作を示すフローチャートである。
【符号の説明】
【００４５】
３−遊技盤
１０−図柄変動表示装置
１１−大入賞口
１３−始動入賞口
１３ｃ−羽根
１４−始動入賞検出器
２０−主制御部
２１−ＣＰＵ
２２−ＲＯＭ
２３−ＲＡＭ
【図１】
2005152228.tif 000003
【図２】
2005152228.tif 000004
【図３】
2005152228.tif 000005
【図４】
2005152228.tif 000006